Podtech/llm-jp-corpus-v4-ja_patent huggingface dataset:
(57)【要約】【課題】中圧力で流体を供給することができる回転ジェットを備えたノズルを提供する。【解決手段】回転ジェットを備えたノズル（１）は、インジェクタ（２Ｃ）を収容する開口した空洞（２Ｂ）を区画している本体（２Ａ）を含む。インジェクタ（２C)の一端は、インジェクタ（２Ｃ）に作用する接線方向の水流圧の影響で本体（２Ａ）のピボット（２Ｄ）の周りを環状運動するように駆動され、インジェクタ（２C)の他端には、インジェクタ（２C)の摂動運動を許容する凹状座（２F)形態の空洞（２B)の開口内に配置されたスプレイノズル（２E)が配設されている。スプレイノズル（２Ｅ）の内径（ｄ１）は２．８乃至６ｍｍであり、一方座（２Ｆ）の最小径（ｄ２）は４乃至１１．５ｍｍであり、座（２Ｆ）の最小径（ｄ２）はスプレイノズル（２Ｅ）の内径（ｄ１）の１．７倍±１０％の大きさであって、中圧供給が可能である。【選択図】図１
2007502202.tif 000002
【特許請求の範囲】
【請求項１】
インジェクタ（２Ｃ）を収容する開口した空洞（２Ｂ）を区画している本体（２Ａ）を含み、該インジェクタ（２C)の一端は、該インジェクタ（２Ｃ）に作用する接線方向の水流圧の影響で本体（２Ａ）のピボット（２Ｄ）の周りを環状運動するように駆動され、該インジェクタ（２C)の他端には、該インジェクタ（２C)の摂動運動を許容する凹状座（２F)形態の空洞（２B)の開口内に配置されたスプレイノズル（２E)が配設されている、回転ジェットを備えたノズル（１）において、該スプレイノズル（２Ｅ）の内径（ｄ１）は２．８乃至６ｍｍであり、一方該座（２Ｆ）の最小径（ｄ２）は４乃至１１．５ｍｍであり、該座（２Ｆ）の最小径（ｄ２）は該スプレイノズル（２Ｅ）の内径（ｄ１）の１．７倍±１０％の大きさであって、中圧供給が可能である、ことを特徴とするノズル（１）。
【請求項２】
該スプレイノズル（２Ｅ）及び該座（２Ｆ）は、磨耗を軽減するために、ノズルの該本体（２Ａ）及び該インジェクタ（２Ｃ）を構成する材料よりも高硬度の、カーバイドの如き材料から形成されている、ことを特徴とする請求項１に記載の回転ジェットを備えたノズル（１）。
【請求項３】
該座（２Ｆ）は基部に流体竜出口路を区画する開口を有する半球カップ状であり、該出口路の直径は４乃至１１．５ｍｍの最小内径（ｄ２）に対応している、請求項１又は２記載の回転ジェットを備えたノズル（１）。
【請求項４】
該座（２Ｆ）は該空洞（２Ｂ）の開口内に接続された部材によって形成されており、該空洞（２Ｂ）の該開口はノズルの中圧ジェットの出口開口を構成している、ことを特徴とする請求項１から３までのいずれかに記載の回転ジェットを備えたノズル（１）。
【発明の詳細な説明】
【技術分野】
【０００１】
本発明は、インジェクタを収容する開口された空洞を区画する本体を含む型の回転ジェットを備えたノズルに関する。
【０００２】
更に詳細には、本発明は、インジェクタの一端は、インジェクタに作用する接線方向の水流圧の影響で本体のピボットの周りを環状運動するように駆動され、インジェクタの他端には、インジェクタの摂動運動を許容する凹状座形態の空洞の開口内に配置されたスプレイノズルが配設されている型の、回転ジェットを備えたノズルに関する。
【背景技術】
【０００３】
上記ノズルは特にスプレイ設備の場合に利用することができる。
【発明の開示】
【発明が解決しようとする課題】
【０００４】
上述したとおり回転ジェットを備えたノズルは、これまで、ノズルの寸法特性に起因して中圧流体を供給することができなかった。
【０００５】
従って、本発明の目的は、中圧力、即ち概ね２０乃至６０barの圧力、で流体を供給することを許容する寸法特性を有するノズルを提供することである。
【課題を解決するための手段】
【０００６】
上記目的のために、本発明のノズルは、スプレイノズルの内径は２．８乃至６ｍｍであり、一方座の最小径は４乃至１１．５ｍｍであり、座の最小径はスプレイノズルの内径の１．７倍±１０％の大きさであって、中圧供給が可能であることを特徴とする。
【発明を実施するための最良の形態】
【０００７】
本発明は、本発明に従うノズルの断面図である単一の図面を参照して説明する実施形態についての以下の記載からより一層理解されるであろう。
【０００８】
上述したとおり、本発明に従う全体を番号１で示す、回転ジェットを備えたロータノズルと称されるノズルは、中圧ポンプ設備に装備するのに特に適している。このノズルは、インジェクタ２Ｃを受け入れる開口された空洞２Ｂを区画している、全体として裁頭円錐台形状の静止本体２Aを具備している。インジェクタ２Ｃは、基本的には、軸線方向貫通路を有する円筒形状である。インジェクタ２Ｃの一端は、インジェクタ２Ｃに作用する接線方向の水流による力に駆動されて、本体２Ａのピボット２Ｄの周りを環状運動する。インジェクタ２Ｃの他端には、スプレイノズル２Ｅが配設されている。このスプレイノズル２Ｅは、軸線方向貫通路を有する管形状である。スプレイノズル２Eの一端は拡大されていて、凸状スプレイノズルヘッドを形成している。かかる拡大部の基端面は、インジェクタ２Ｃの軸線方向貫通路内にスプレイノズル２Ｅを嵌合する際の軸線方向当接面を構成する。凸状スプレイヘッドを有するスプレイノズル２Ｅが配設された、インジェクタ２Ｃの一端は、空洞２Ｂの開口部における摂動運動を許容する凹状座２F上に配置されている。
【０００９】
凹状座２Fの壁面に支持されるスプレイノズル２Ｅのスプレイヘッドは概ね半球状で丸みを帯びた部分にされているので、座２Ｆ内でのスプレイノズル２Ｅの動きが助長される。
【００１０】
本発明の特徴として、スプレイノズル２Ｅの内径ｄ１は、２．８乃至６ｍｍで、一方座２Ｆの最小内径は４乃至１１．５ｍｍである。従って、座２Fの最小内径ｄ２は、スプレイノズルの内径ｄ１の１．７倍±１０％の大きさであり、ノズルの中圧供給を可能にする。
【００１１】
座２Ｆは、ジェットの出力オリフィスを構成する空洞２Ｂの開口部に接続された部材によって形成されている。座２Ｆは半球カップ状であり、その基部には流体流の出口路を区画する開口が形成され、座の流体流のための出口路の直径は上述した最小内径d２に対応している。
【００１２】
図示した実施例においては、座２Ｆは半球カップ状をしており、この半球カップの底部は概ね半球状の第二の空洞へ通じており、その半球の基部に接して漏刻形状（砂時計形状）の通路が区画されている。
【００１３】
スプレイノズル２Ｅ及び座２Ｆは、磨耗を軽減するために、ノズルの本体２Ａ及びインジェクタ２Ｃを構成する材料よりも高い硬度を有するカーバイドの如き材料から形成されている。
【図面の簡単な説明】
【００１４】
【図１】図１は、本発明に従って構成されたノズルの断面図。
【符号の説明】
【００１５】
１：ノズル
２A：本体
２B：空洞
２C：インジェクタ
２D：ピボット
２E：スプレイノズル
２F：:座
【図１】
2007502202.tif 000003
【国際調査報告】
2007502202.tif 000004
2007502202.tif 000005
2007502202.tif 000006
2007502202.tif 000007
(57)【要約】  本発明は、内燃機関用のアキュムレータ燃料噴射系において用いられる、燃料アキュムレータ（コモンレール）における圧力を調整するための調圧弁に関する。  本発明の構成では、調圧弁を簡単化して構成するために、燃料アキュムレータが閉鎖されたアキュムレータとして形成されており、該アキュムレータの供給兼戻し管路が液体鏡面の下に次のように、すなわち調圧弁に対する負荷なしに燃料アキュムレータの流出が不可能であるように、配置されている。
2007502386.tif 000002
【特許請求の範囲】
【請求項１】
内燃機関用のアキュムレータ燃料噴射系において用いられる、燃料アキュムレータにおける圧力を調整するための調圧弁であって、孔内において軸方向摺動可能に案内されるピストン状の弁部材が設けられており、該弁部材が閉鎖エレメントに対して閉鎖方向において作用して、該閉鎖エレメントを弁座に押し付けるようになっており、弁部材が、給電可能な電磁石の可動子を形成している形式のものにおいて、燃料アキュムレータ（４）が閉鎖されたアキュムレータであり、該アキュムレータの供給兼戻し管路（５）が、調圧弁（１）の位置によって形成される液体鏡面の下に配置されていることを特徴とする、アキュムレータ燃料噴射系用の調圧弁。
【発明の詳細な説明】
【技術分野】
【０００１】
本発明は、内燃機関用のアキュムレータ燃料噴射系において用いられる、燃料アキュムレータにおける圧力を調整するための調圧弁であって、孔内において軸方向摺動可能に案内されるピストン状の弁部材が設けられており、該弁部材が閉鎖エレメントに対して閉鎖方向において作用して、該閉鎖エレメントを弁座に押し付けるようになっており、弁部材が、給電可能な電磁石の可動子を形成している形式のものに関する。
【０００２】
このような形式の調圧弁は、種々様々な形式のものが公知である。この調圧弁は、燃料アキュムレータ内における圧力を調整するために働く。調圧弁は、有利には閉鎖ばねの力に抗して孔内において軸方向摺動可能に案内されるピストン状の弁部材を有している。この弁部材は、閉鎖方向において調圧弁の閉鎖エレメントに対して作用し、この閉鎖エレメントを弁座に押し付ける。そして弁部材は、閉鎖ばねの力を助成するために給電可能な電磁石の可動子を形成している。
【０００３】
閉鎖ばねによって弁部材を介して閉鎖エレメントは、所定の力で弁座に向かって押し付けられ、この場合閉鎖エレメントは次のような場合、すなわち、燃料アキュムレータ内における圧力によって生ぜしめられる力が閉鎖ばねの力を上回って、燃料が燃料アキュムレータから開放された調圧弁を介して放圧室に流出した場合に、閉鎖エレメントに対して作用する燃料アキュムレータ内における圧力によって弁座から持ち上げられる。
【０００４】
燃料アキュムレータ内において高圧が調節される場合には、電磁石が給電され、その結果、弁部材を介して閉鎖エレメントに対して加えられる閉鎖力が高められ、これによって閉鎖エレメントは、燃料アキュムレータ内におけるより高い圧力において初めて、弁座から上昇し、燃料は燃料アキュムレータから放圧室に流出することができる。
【０００５】
発明の課題
本発明の課題は、従来技術に基づいて公知の調圧弁を改良して、より安価に製造可能な調圧弁を提供することである。
【０００６】
課題の解決手段
この課題を解決するための核となる思想は、両側に供給兼戻し管路を備えた燃料アキュムレータを、該アキュムレータの供給兼戻し管路が液体鏡面の下に配置されているように、配置することにあり、このように構成されていると、供給兼戻し管路が特に無電流状態（モータの停止に相当）において自動的に空になることが不可能になる。これによって、調圧弁が無電流下にある場合に付加的な軸方向力を生ぜしめる、従来技術において公知であるばねを、省くことができる。
【０００７】
本発明の別の有利な構成は、以下の記載及び図面に開示されている。
【０００８】
図面
図１は、本発明による調圧弁を示す断面図であって、燃料アキュムレータ及び燃料タンクに対する調圧弁の配置形式を示す図である。
【０００９】
実施例の記載
図１には調圧弁１が縦断面図で示されている。付加的に、内燃機関、特に自己着火式の内燃機関用のアキュムレータ燃料噴射系が示されている。コモンレール噴射系とも呼ばれるアキュムレータ燃料噴射系は、高圧ポンプ２を有しており、この高圧ポンプ２によって燃料は燃料タンク３から燃料アキュムレータ４内に圧送される。燃料アキュムレータ４は例えば管状に、いわゆるレールとして形成されている。燃料アキュムレータ４からは管路５が内燃機関６の噴射箇所に通じており、これらの噴射箇所にはそれぞれ弁７が配置されている。燃料アキュムレータ４における圧力を調節するために調圧弁１が設けられており、この調圧弁１は高圧ポンプ２の出口又は燃料アキュムレータ４に配置されていることができる。
【００１０】
調圧弁１自体は弁８を有しており、この弁８内には孔９が形成されていて、この孔９内にはピストン状の弁部材１０が軸方向摺動可能に配置されている。弁本体８には固定フランジ１１が形成されており、この固定フランジ１１を介して弁本体は高圧ポンプ２又は燃料アキュムレータ４に固定されている。付加的に、弁本体８の内部には別の室が設けられており、この室には、コイル巻線を備えた電磁石１２が配置されている。弁本体８には接続エレメント１３が設けられており、この接続エレメント１３は弁本体８の室を覆っている。従来技術によれば接続エレメントの内部において切欠き１５内にはばねが設けられており、このばねは弁部材１０に対して力を加える。電磁石１２への給電によって、弁部材１０はさらに弁座１６に押し付けられるので、管路は相応に閉鎖されている。
【００１１】
作用形式
電磁石１２が給電されていない場合、弁部材１０はその自重に基づいて弁座１６に載着しており、弁座１６は燃料アキュムレータ４における圧力によって負荷されている。弁部材１０の自重によって生じる力は、燃料アキュムレータ４によって生じる力よりも大きいので、弁は閉鎖されている。調圧弁１の開放時には、燃料アキュムレータ４から燃料が弁座１６を通って例えば放圧室に、図示の実施例では燃料タンク３に流入する。
【００１２】
燃料アキュムレータ４における圧力を高めたい場合には、電磁石１２が給電され、これによって弁座１６は、高められた圧力においても閉鎖されたままになる。
【００１３】
このようにして極めて簡単な形式で、放圧タンク３もしくは燃料アキュムレータ４の配置形式だけによって、自体公知の調圧弁１の１構成部材を取り外すことができ、これによってコストの節減と取付けもしくは組立ての簡単化とを実現することができる。
【図面の簡単な説明】
【００１４】
【図１】本発明による調圧弁を示す断面図であって、燃料アキュムレータ及び燃料タンクに対する調圧弁の配置形式を示す図である。
【図１】
2007502386.tif 000003
【国際調査報告】
2007502386.tif 000004
2007502386.tif 000005
2007502386.tif 000006
2007502386.tif 000007
2007502386.tif 000008
2007502386.tif 000009
(57)【要約】    本発明は衛生看護ベッドの一種類で、特徴はベッドが耐水性のファイバーの糸で交織した網の目を持っているスライスの織物体である。この装置は簡単なばかりでなく、作るコストが安く、清潔しやすいので、赤ちゃん、幼児と起きられない患者に適用される。【選択図】  図１
2007502625.tif 000002
【特許請求の範囲】
【請求項１】
耐水性のファイバーの糸で交織した網の目を持っているスライスの織物体であることを特徴とする衛生看護ベッド。
【請求項２】
網の目の直径或いは対角線の長さが交織した網の目を形成する経緯線の直径より大きいか等しく、且つ経緯線の直径の30倍より小さいことを特徴とする請求項１に記載の衛生看護ベッド。
【請求項３】
経線と緯線の交接部を相対的に固く連接していることを特徴とする請求項１又は２に記載の衛生看護ベッド。
【請求項４】
耐水性のファイバーの糸が表面塗布或いは内部に滲み込む耐水ものの植物ファイバーの糸或いは人造ファイバーの糸であることを特徴とする衛生看護ベッド。
【発明の詳細な説明】
【技術分野】
【０００１】
本発明は衛生看護ベッドの一種類で、赤ちゃん、幼児と起きられない患者に適用するものに関する。
【背景技術】
【０００２】
赤ちゃん、幼児と大勢の中風、意識不明になる、麻痺、骨折で起きられない患者は、行動が自分の思う通りにできないために、よく屎尿をベッドにして、洗いにくく、世話をしている家族と介護の人にとても面倒をかける。今までの技術方案の中で、あるベッドは患者が大小便をする構造を添付しているが、構造が複雑で、作るコストが高いので、普通の家庭は負担しにくい。一方、赤ちゃん、幼児と起きられない患者は行動が自分の思う通りにできないので、家族と介護の人の手伝いがなければ、合理的に使用できない。
【発明の開示】
【０００３】
本発明の目的は一種類の衛生看護ベッドを提供する。この装置は構造が簡単なばかりでなく、作るコストが安く、清潔にしやすいので、行動が不自由な赤ちゃん、幼児と起きられない患者に適用する。
本発明は次のように構成される。特徴はベッドがファイバーの糸で交織した網の目を持っているスライスの織物体である。
使うとき、赤ちゃん、幼児と患者は網の布で構成したベッドに寝て、ベッドの上に網の目があるため、赤ちゃん、幼児あるいは患者が気をつけないで屎尿をベッドにする時、家族あるいは介護の人が花用圧力如雨露でベッドを洗うだけで、汚濁物質を網の目から外れさせて、きれいになる。ベッドを構成する経緯線が耐水性のファイバーの糸で作られているため、屎尿を吸収せず、洗いやすくて汚濁物質を払いやすい。
今までの技術に比べて、本発明の製品は簡単ばかりでなく、作るコストが安く、清潔にしやすいので、赤ちゃん、幼児と起きられない患者の世話している家族あるいは介護の人に極めて大きな利便をもたらす。  そして、衛生面から考えれば、この装置は使ってから廃棄できるため、経済の損失が大きくない。
【０００４】
（図面の簡単な説明）
図1は、本発明の実施例の構造見取り図である。
図2は、図1の局部の引き伸ばしの見取り図である。
【発明を実施するための最良の形態】
【０００５】
本発明は次のように構成される。特徴はベッドの1が耐水性のファイバーの糸で交織した網の目の2を持っているスライスの織物体である。
具体的に作る時、その網の目の直径或いは対角線の長さは交織した網の目を形成する経線の3と緯線の4の直径より大きいか等しい。そして、経緯線の直径の30倍より小さい。それで、ベッドの上の汚濁物質が吸収されにくく、網の目から落ちやすい。一方、交織した網の目を形成する経緯線の直径と網の目の直径、対角線の長さとの比はある範囲以内であるから、この衛生看護ベッドは赤ちゃん、幼児と長く起きられない患者の筋肉と皮膚に傷害を付けない。
そのほか、ベッドを払う時或いは患者の寝る姿が不正確で経緯線の交織した網の目の局部が変更されるのを防ぐために、その経線と緯線の交接部の5は相対的に固く連接される。
そのスライスの織物体を構成する耐水性のファイバーの糸は表面塗布或いは内部滲み込む耐水ものの植物ファイバーの糸或いは人造ファイバーの糸である。
本発明の構造は簡単で、安く適用されるので、その普及応用は赤ちゃん、幼児と起きられない患者を世話している家族あるいは介護の人に極めて大きな利便をもたらす。
【図面の簡単な説明】
【０００６】
【図１】本発明の実施例の構造見取り図である。
【図２】図1の局部の引き伸ばしの見取り図である。
【符号の説明】
【０００７】
１  ベッド    ２  交織した網の目    ３  経線    ４  緯線    ５  交接部
【図１】
2007502625.tif 000003
【図２】
2007502625.tif 000004
【国際調査報告】
2007502625.tif 000005
2007502625.tif 000006
2007502625.tif 000007
2007502625.tif 000008
(57)【要約】  本発明は、心血管性事象のリスクを減少させるために、非糖尿病のヒト個人の尿細管性蛋白尿および／またはα1−ミクログロブリンを減少させる医薬組成物の製造におけるＡＣＥ阻害剤またはアンギオテンシン受容体アンタゴニストの使用に関する。【特許請求の範囲】
【請求項１】
心血管性事象のリスクを減少させるための、非糖尿病のヒト個人の尿細管性蛋白尿および／またはα1−ミクログロブリンを減少させる医薬組成物の製造におけるＡＣＥ阻害剤またはアンギオテンシン受容体アンタゴニストの使用。
【請求項２】
ＡＣＥ阻害剤がラミプリル、ペリンドプリル、トランドラプリル、リシノプリル、エナラプリルまたはカプトプリルから選択される請求項１に記載の使用。
【請求項３】
アンギオテンシンアンタゴニストがロルサルタン、カンデサルタン、バルサルタン、イルベサルタン、オルメサルタン、エプロサルタンまたはテルミサルタンである請求項１に記載の使用。
【請求項４】
心血管性事象が卒中または心筋梗塞から選択される請求項１に記載の使用。
【請求項５】
尿中のβ−ミクログロブリンまたはその他の尿細管性蛋白およびα1−ミクログロブリンのレベルを測定することからなる、心血管性疾患または心血管性事象を罹患するヒト個人のリスクを評価するためのインビトロ診断方法。
【発明の詳細な説明】
【技術分野】
【０００１】
冠状動脈性心臓病は、依然として米国では罹患率および死亡率の主要な原因である。心血管性疾患のリスク因子は、直接的に原因であることがあり、より基礎的な内在する代謝異常の二次発現であることがあり、または該疾患の初期症状を示すことがある。いくつかのリスク因子は、心血管性疾患の発生率の増加に関係しており、そして該リスク因子には喫煙、高血圧、脂質異常血、糖尿病、ミクロアルブミン尿、肥満、座りがち生活形態、性別および貧しい栄養が挙げられる。成人でのリスク因子の作用は付加的であり、高リスク因子の数が多く存在すればする程、心血管性疾患のリスクは大きくなる。
【背景技術】
【０００２】
可逆的であり、直接的原因であるリスク因子のいくつかに対する介入（intervention）は、進行しつつある心血管性疾患のリスクを低下させ、そして卒中または心筋梗塞のような心血管性事象の発病率を低下させるのに有効に使用されている。
【０００３】
糸球体性蛋白尿の一つの形態であるミクロアルブミン尿が、心血管性リスク因子および心血管性疾病率のインジケイターであることは知られている。
【発明の開示】
【発明が解決しようとする課題】
【０００４】
今や、意外なことに、尿細管性蛋白尿およびα1−ミクログロブリンの高められた尿中レベルが、進行しつつある心血管性疾患および心血管性死亡率の増加されたリスクを独立的に示すものであるということが見出された。
【０００５】
さらに、尿細管性蛋白尿および／または尿中α1−ミクログロブリンの減少により心血管性事象の発病率が低下することも見出された。
【０００６】
すなわち、本発明によれば、アンギオテンシン変換酵素（ＡＣＥ）阻害剤またはアンギオテンシン受容体アンタゴニストのようなアンギオテンシン／レニン−系のモジュレータは、尿細管性蛋白尿およびα1−ミクログロブリンを低下させるのに有効に使用され得るということが示された。
【０００７】
さらに、本発明によれば、尿細管性蛋白尿または高められた尿中α1−ミクログロブリンを示す個人に対するこのような治療介入が、心血管性事象のリスクを有効に減少させるということが、大規模での介入試用で確立された。
【課題を解決するための手段】
【０００８】
上記の研究結果によって、本発明は個人の心血管性リスク評価のための新規なスクリーニング方法を提供する。さらに、本発明による心血管性リスク評価のためのスクリーニング方法は、尿細管性蛋白尿およびα1−ミクログロブリンの測定値が標準手法により測定され得るので、心血管性事象の予報値（predictor)としてミクロアルブミン尿を使用するスクリーニング方法よりもより容易で、より速くそしてより信頼性がある。
【０００９】
さらに別の特徴において、本発明はまた、非糖尿病患者の尿細管性蛋白尿および／または尿中α1−ミクログロブリンを減少させるためのアンギオテンシン変換酵素（ＡＣＥ）阻害剤またはアンギオテンシン受容体アンタゴニストのようなアンギオテンシン／レニン−系のモジュレータを含有する、心血管性事象のリスクを減少させるため医薬組成物も提供する。
【００１０】
本発明の診断スクリーニング方法による診断後の治療介入は、無症候性の健康な個人並びに高血圧または明白な心血管性疾患を有する患者について実施され得る。
【００１１】
本発明による好ましいＡＣＥ阻害剤は、ラミプリル、ペリンドプリル、トランドラプリル、リシノプリル、エナラプリルまたはカプトプリルおよびそれらの製薬的に許容し得る塩および誘導体である。
【００１２】
本発明により使用するためのアンギオテンシンアンタゴニストとしては、ロルサルタン、カンデサルタン、バルサルタン、イルベサルタン、オルメサルタン、エプロサルタンまたはテルミサルタンおよびそれらの製薬的に許容し得る塩および誘導体が好ましい。
【００１３】
尿分析はいずれかの標準的な実験室試験により実施され得る。尿中アルブミンの測定は定量的蛋白測定（比濁法）およびＳＤＳ−電気泳動法により実施するのが好ましい。
【００１４】
商業的にテストキットは入手可能であり、例えば濁度試験用にＲｏｃｈｅ  Ｄｉａｇｎｏｓｔｉｃｓのチナカント  アルファー−ミクログロブリン（Tinaquant alpha-microglobulin）がある。
【００１５】
尿細管性蛋白尿においては、レチノール−結合蛋白、α1−ミクログロブリン、β2−ミクログロブリン、リゾチーム、Ｌ鎖、ヘモグロビンおよびミオグロビンを含む小さな分子量の蛋白が検出され得る。
【国際調査報告】
2007513884.tif 000002
2007513884.tif 000003
(57)【要約】  成形体に線状のグラフィック要素を形成させる方法において、成形体を金属で被覆し、被覆部を同径の点および／または相互間隔が等しい点の形態で剥ぎ取るようにしてレーザー放射によりグラフィック要素を生成させる。【特許請求の範囲】
【請求項１】
成形体に線状のグラフィック要素を形成させる方法において、
成形体を金属で被覆すること、被覆部を点状に剥ぎ取るレーザー放射によりグラフィック要素を生成させることを特徴とする方法。
【請求項２】
同径の点および／または相互間隔が等しい点を生成させることを特徴とする、請求項１に記載の方法。
【請求項３】
生成させた個々の点および次の点に対する間隔が人間の目で通常の読み取り間隔で識別できないようにレーザー放射を行なうことを特徴とする、請求項１または２に記載の方法。
【請求項４】
面の印象を生じさせるため、レーザー放射により生成させる点を面状に且つ等間隔で配置することを特徴とする、請求項１から３までのいずれか一つに記載の方法。
【請求項５】
明度が異なる複数の面を生成させるため、生成させる点の充填密度を変化させることを特徴とする、請求項１から４までのいずれか一つに記載の方法。
【請求項６】
レーザー放射の強度および／または放射点の密度および／またはサイズに依存して表面のつや消し効果および／またはブロンズ効果を可変に設定することを特徴とする、請求項１から５までのいずれか一つに記載の方法。
【請求項７】
成形体が透明な材料から成り、被覆部とは逆の側を照射することを特徴とする、請求項１から６までのいずれか一つに記載の方法。
【発明の詳細な説明】
【技術分野】
【０００１】
本発明は、成形体に線状グラフィック要素を形成させる方法に関するものである。
【背景技術】
【０００２】
成形体とは、種々の目的のために使用されるたとえば操作要素、装飾要素或いは表示要素である。線状グラフィック要素とは線、直線、或いは閉じた図形（たとえば長方形）等である。この図形により、文字を取り囲むようなデザインを得ることもでき、よって視覚的に文字を表現することができる。
【０００３】
これに関連して、特許文献１から、基体上に被着させた遮光層をレーザー放射により除去してシンボルを生成させるようにした、操作要素、装飾要素または表示要素の製造方法が知られている。この場合遮光層は完全に剥ぎ取られる。基体上には、視覚的にはっきり識別できる被覆領域と非被覆領域とが存在する。レーザーは被覆部を迅速且つ完全に除去する工具として使用されるにすぎない。被覆部の剥ぎ取りが迅速であればあるほど加工時間が短くなるので、加工時間を短くするには被覆部をエネルギー集中的に加工しなければならず、したがって基体が損傷する恐れがある。その結果、シンボルが視覚的に不均一な印象になる。
【０００４】
ライティング状態が好ましくない場合でも、特に暗闇でもグラフィック要素を視認できなければならないような場合には、上記の視覚的に悪い印象はさらに増幅される。操作要素におけるこの種のデザインは「ナイトデザイン」として当業者に知られている。このため前記特許文献１からは、基体を光源で後方から照射して、被覆していない箇所から光を放出させることが知られているが、この被覆していない領域で基体が損傷していると、視覚的にはしみのような印象を及ぼす。
【０００５】
【特許文献１】独国特許発明第４２１２４２３Ｃ２号明細書
【発明の開示】
【発明が解決しようとする課題】
【０００６】
本発明の課題は、上記方法を改善して、照明状態が異なってもグラフィック要素に一様な外観を持たせ、迅速で加工安定な製造を可能にすることである。
【課題を解決するための手段】
【０００７】
上記の課題は請求項１の構成により解決される。
【０００８】
成形体を直接金属で被覆する。前記特許文献１で設けられているような、成形体と被覆部との間で何らかの性質を持った中間層は必要ない。グラフィック要素は被覆部をピクセル状に剥ぎ取るレーザー放射により生成させる。常に点のみが剥ぎ取られる。このために必要なエネルギーは極めて小さく、よって基体が損傷する危険も極めて少ない。個々の点の相互間隔が等しく、且つ個々の点が同じ径を持っていれば、すべての照明条件でグラフィック要素の一様な視覚的印象が得られ、その結果特に優れた視認性、判読性が得られる。
【０００９】
生成される個々の点の径とその次の点との間隔は広範囲で可変である。特に好ましい視覚的印象を得るため、個々の点は人間の目でほぼ３０ｃｍの通常の読み取り間隔で識別できない。
【００１０】
本発明による方法により、面の印象も生じさせることができる。このため、レーザー放射により生成させる点を面状に等間隔で配置させる。本発明による方法のこの実施態様は、印刷ピクセルを密に均等に配置することにより同様に面の印象を得るようにした新聞の印刷と同様である。
【００１１】
したがって、生成される点の充填密度を変化させることによって、明度の異なる面をも生成させることができる。
【００１２】
前記特許文献１と同様に、グラフィック要素を後方から照射してもよい。このため成形体は透明な材料から成り、被覆部とは逆の側を照射される。特殊な色彩的印象は、たとえば、成形体が特別な彩色を持ち、無色光で照射されることによって得ることができ、或いは、成形体自体が無色で、所望の色で照射することによって得ることができる。被覆部を剥ぎ取る際に成形体のプラスチック材料がどの点でも均等に加工されることによっても色彩効果が生じる。照射強度によっては、個々の炭素原子を露出させることにより、落射光および透過光で視認できる、グラフィック要素のブロンズ効果が得られる。
【００１３】
このブロンズ効果はその強度の点で、すなわち反射率と関連して色着け率の点で可変であり、且つレーザー放射の強度に依存している。これにより被覆部は点状に剥ぎ取られる。点の密度および大きさによっては表面の調整可能なつや消し効果が得られる。さらに、放射の強度に依存して可変な色着け効果が生じる。
【００１４】
無色の成形体の場合には、異なる色の照明により色が異なるシンボル、文字等を得ることができる。成形体の材料を透明なもの、乳濁色のもの、或いは不透明なものに選択すれば、加工点の配置および形態との関連で種々の視覚効果を得ることができる。
【００１５】
成形体の被覆部をシルバーメタリックに光沢があるように実施すれば、グラフィック要素は落射光の場合には通常の成形体よりも暗くなり、透過光の場合には明るくなる。これにより広範囲の多面的な形態が可能になる。
【国際調査報告】
2007513804.tif 000002
2007513804.tif 000003
2007513804.tif 000004
2007513804.tif 000005
2007513804.tif 000006
2007513804.tif 000007
(57)【要約】  五弗化燐−塩化水素−混合物の分離または含量の増加は、３０〜６０バールでの圧力蒸留によって行なわれ、この場合分別は、五弗化燐の臨界温度をまさに下廻る温度範囲または五弗化燐の臨界温度をまさに上廻る温度範囲で、しかも塩化水素の臨界温度を下廻って実施される。【特許請求の範囲】
【請求項１】
五弗化燐−塩化水素−混合物を分離するかまたは五弗化燐−塩化水素−混合物中の五弗化燐の含量を増加させる方法において、３０〜６０バールで塩化水素の臨界温度を下廻る温度で圧力蒸留を実施することを特徴とする、五弗化燐−塩化水素−混合物を分離するかまたは五弗化燐−塩化水素−混合物中の五弗化燐の含量を増加させる方法。
【請求項２】
圧力蒸留を塩化水素の臨界温度を下廻る温度および五弗化燐の臨界温度を上廻る温度で実施する、請求項１記載の五弗化燐−塩化水素−混合物を分離するかまたは五弗化燐−塩化水素−混合物中の五弗化燐の含量を増加させる方法。
【請求項３】
圧力蒸留を２０〜５１．４℃の温度で実施する、請求項１または２記載の五弗化燐−塩化水素−混合物を分離するかまたは五弗化燐−塩化水素−混合物中の五弗化燐の含量を増加させる方法。
【請求項４】
圧力蒸留を五弗化燐の臨界温度をまさに下廻る温度で実施する、請求項１記載の五弗化燐−塩化水素−混合物を分離するかまたは五弗化燐−塩化水素−混合物中の五弗化燐の含量を増加させる方法。
【請求項５】
圧力蒸留を−１０〜２０℃の温度で実施する、請求項４記載の五弗化燐−塩化水素−混合物を分離するかまたは五弗化燐−塩化水素−混合物中の五弗化燐の含量を増加させる方法。
【発明の詳細な説明】
【技術分野】
【０００１】
本発明は、五弗化燐（ＰＦ５）−塩化水素（ＨＣｌ）−混合物を分離する方法または五弗化燐−塩化水素−混合物中の五弗化燐の含量を増加させる方法に関する。
【０００２】
五弗化燐は、例えば三塩化燐を弗化水素および塩素と反応させることによって製造される（欧州特許第０８１６２８７号明細書）。
【０００３】
ＰＣｌ３  ＋  ５  ＨＦ  ＋  Ｃｌ２  →  ＰＦ５  ＋  ５  ＨＣｌ
この反応は、通常、塩素の存在で実施され、三価の出発化合物を五価の段階に酸化する。この場合、この方法を連続的に実施することは、有利であることが証明され、この場合には、バッチ式の実施も、同様に可能である。
【０００４】
連続的な方法の場合、反応器中には、三価の出発化合物が存在する。同様に、酸化剤を過剰量で使用することも可能である。反応体の化学量論的量の使用も同様に可能である。
【０００５】
フッ酸は、有利に化学量論的な必要量で使用される。このフッ酸を過剰量で使用する場合には、フッ酸は、同時に溶剤として使用することができる。例えば、ＨＦは、反応混合物に対して７０質量％またはそれ以上であることができる。反応速度は、酸化剤の計量供給によって制御されることができる。
【０００６】
五弗化燐は、一般に５倍量の塩化水素との混合物で得ることができる。前記混合物からの五弗化燐の単離、例えば、弗化水素との反応によってヘキサフルオロ燐酸に変え、引続きこの化合物を熱分解することによって望ましい五弗化燐に変えることは、時折、記載されている。しかし、この精製は、多大に付加的な装置的費用を必要とし、したがってめったに利用されない。
【０００７】
本発明の課題は、五弗化燐−塩化水素−混合物を分離する方法を提供するかまたは五弗化燐−塩化水素−混合物中の五弗化燐の含量を増加させる方法を提供することである。
【０００８】
３０〜６０バールの圧力範囲および五弗化燐の臨界温度をまさに下廻る温度ならびに五弗化燐をまさに上廻る温度で圧力蒸留することによって、塩化水素含量を最少化することができることが見出された。それによって、塩化水素の含量が減少された五弗化燐−塩化水素−混合物を得ることができる。
【０００９】
ＰＦ５／ＨＣｌ混合物の常圧下での分別は、困難である。それというのも、双方の化合物の沸騰温度は、実際に等しいからである。
【００１０】
【表１】
2007513853.tif 000002
【００１１】
本発明によれば、圧力蒸留は、３０〜６０バールの圧力範囲および五弗化燐の臨界温度をまさに下廻る温度、有利には五弗化燐の臨界温度をまさに上廻る温度で、しかも塩化水素の臨界温度を下廻って実施される。圧力蒸留は、−１０℃〜５１．４℃の温度で実施される。
【００１２】
１つの実施態様において、圧力蒸留は、五弗化燐の臨界温度をまさに下廻る温度で−１０℃〜２０℃で実施される。
【００１３】
別の実施態様において、圧力蒸留は、塩化水素の臨界温度を下廻る温度で２０〜５１．４℃で実施される。
【００１４】
分離は、塩化水素の臨界点を下廻って行なわれるので、塩化水素は、液状の形で蒸留塔の塔底部から導出されうる。
【００１５】
ガス状の五弗化燐は、蒸留塔の塔頂部から取り出される。
【００１６】
分離ファクターは、次の等式によって定められる。
【００１７】
【数１】
2007513853.tif 000003
【００１８】
本発明による条件下で好ましい実施態様においては、五弗化燐の臨界点を上廻って作業され、即ちさらに圧力を上昇させた場合でももはや液化することはできない。従って、五弗化燐は、圧力を上昇させた場合でも気相でのみ存在する。塩化水素は、記載された条件下で液相で含量が増加され、それによってこの相中でのモル比は、変化する。
【００１９】
次の実施例により、本発明を詳説するが、しかし、本発明は、制限されるものではない。
【００２０】
実施例：
圧力蒸留装置中でＰＦ５／ＨＣｌ混合物を記載された条件下で分別した。
【００２１】
【表２】
2007513853.tif 000004
【００２２】
本発明により精製された五弗化燐を特にリチウムヘキサフルオロホスフェートの製造のための出発物質として使用し、極めて純粋なリチウムヘキサフルオロホスフェートの製造を可能にする。
【００２３】
前記化合物の製造のために、五弗化燐をハロゲン化リチウムおよび液状弗化水素からなる溶液または懸濁液中に導入する。この場合、五弗化燐は、フッ化リチウムと次の方程式：
ＬｉＦ  ＋  ＰＦ５  →  ＬｉＰＦ６
により反応し、リチウムヘキサフルオロホスフェートに変わる。
【００２４】
リチウムヘキサフルオロホスフェートは、なかんずく再充電可能なリチウム電池のための導電性塩として必要とされている。前記の使用範囲にとって、高い純度の生成物を使用することができることは、利点である。
【国際調査報告】
2007513853.tif 000005
2007513853.tif 000006
2007513853.tif 000007
2007513853.tif 000008